(57)【特許請求の範囲】
【請求項１】
ケースにバンドを取り付けるバンドの取付構造であって、
前記ケースの側部に設けられ、対向する２つの脚部を有し、この脚部の対向する面にバンド取付孔が穿設されたバンド取付部と、
前記バンドにおける前記ケースへの取り付け側端部に設けられ、前記バンドの幅方向に延在する第１の貫通孔が形成された第１の嵌合部を有し、前記バンド取付部に取り付けられる連結駒体と、
前記第１の嵌合部と嵌合可能であり、嵌合状態において前記第１の貫通孔と連通する第２の貫通孔が形成された第２の嵌合部を有し、前記連結駒体を前記バンド取付部の所定の位置に保持する緩衝部材と、
前記第１の貫通孔及び前記第２の貫通孔に挿通され、前記バンドの前記ケースへの取り付け状態において、両端部がそれぞれ前記バンド取付部の前記バンド取付孔に挿入されるバネ棒と、
を備え、
前記第２の貫通孔の内径は、前記バネ棒の外径と同等であり、前記第１の貫通孔の内径は、前記バネ棒の外径よりも大きく、前記バネ棒は、前記連結駒体に対して遊びをもって配置され、
前記第１の嵌合部及び前記第２の嵌合部のいずれか一方はバンドの延在方向に突出する凸部を有し、他方は当該凸部を受ける形状の凹部を有していることを特徴とするバンドの取付構造。
【請求項２】
前記第１の嵌合部及び前記第２の嵌合部には、嵌合状態において連通する軸孔が形成されており、前記連結駒体と前記緩衝部材とは、当該軸孔に結合用軸部材を挿通させることにより一体化されていることを特徴とする請求項１に記載のバンドの取付構造。
【請求項３】
前記連結駒体は、一端において互いに交わる２つの突き当て面を有し、前記緩衝部材には、当該２つの突き当て面に対応する対応面が設けられており、
前記突き当て面に前記対応面を突き当てた状態で、前記バネ棒を前記第１の貫通孔及び前記第２の貫通孔に挿通させ、前記バネ棒の両端部をそれぞれ前記バンド取付部の前記バンド取付孔に挿入させることにより、前記連結駒体と前記緩衝部材とが一体化されるとともに、前記バンドが前記ケースに取り付けられることを特徴とする請求項１に記載のバンドの取付構造。
【請求項４】
バンドにおけるケースへの取り付け側端部に設けられ、前記バンドの幅方向に延在する第１の貫通孔が形成された第１の嵌合部を有し、前記ケースのバンド取付部に取り付けられる連結駒体と、
前記第１の嵌合部と嵌合可能であり、嵌合状態において前記第１の貫通孔と連通する第２の貫通孔が形成された第２の嵌合部を有し、前記連結駒体を前記バンド取付部の所定の位置に保持する緩衝部材と、
前記第１の貫通孔及び前記第２の貫通孔に挿通され、前記バンドの前記ケースへの取り付け状態において、両端部がそれぞれ前記バンド取付部の前記バンド取付孔に挿入されるバネ棒と、
を備え、
前記第１の嵌合部及び前記第２の嵌合部のいずれか一方はバンドの延在方向に突出する凸部を有し、他方は当該凸部を受ける形状の凹部を有していることを特徴とするバンドの取付構造。
【請求項５】
請求項１から請求項４のいずれか一項に記載のバンドの取付構造と、
ケースと、
前記ケースに取り付けられるバンドと、
を備えることを特徴とする時計。
【発明の詳細な説明】
【技術分野】
【０００１】
本発明は、バンドの取付構造及び時計に関するものである。
【背景技術】
【０００２】
従来、時計等のケースにバンドを取り付ける構成として、バネ棒を用いてバンドをケースに固定する構成が知られている。
例えば、特許文献１には、筒状部材と筒状部材の端部に当該筒状部材の軸方向に進退可能に設けられた一対のピンと筒状部材の内部に配置されピンを筒状部材の端部から突出する前進方向に付勢する付勢部材とを備え、ピンの後方が、少なくとも筒状部材の端部からピンのストローク分離れた位置にある係止部に係止されることにより、筒状部材からのピンの離脱を防止する構造としたバネ棒（連結具）を備え、このバネ棒によってバンドを時計ケースに取り付ける構成が開示されている。
特許文献１に記載の構成では、バネ棒にこのような構造を備えない場合と比較して、時計の落下衝撃時等の負荷に対するバネ棒の強度を向上させる効果が期待できる。
【先行技術文献】
【特許文献】
【０００３】
【特許文献１】特開２００７−８９８８２号公報
【発明の概要】
【発明が解決しようとする課題】
【０００４】
しかしながら、特許文献１に記載の構成のように、ケースやバンドにバネ棒が直接接触している場合、時計の装着時や落下時等にケースやバンドに激しい衝撃が加わった際には、その衝撃が直接バネ棒に伝わる。特にケースとバンドとが接離する方向への衝撃やケースとバンドとが互いに捻じれる方向への衝撃が加わった場合、高周波・高振幅振動が繰り返し加えられるような環境で使用した場合等には、ケースとバンドとを連結しているバネ棒部分には大きな衝撃が加わることとなる。
また、時計等の高級感を演出するためにケースやバンドを樹脂等ではなく金属材料で形成することがあるが、ケースやバンドが金属材料で形成されている場合には、ケースやバンド側においてあまり衝撃を吸収することができないため、バネ棒に直接加わる衝撃はさらに大きなものとなる。
この場合、特許文献１に記載の構成のようにバネ棒内に衝撃を緩和する構造を設けるだけでは、バネ棒の破損やバネ棒が外れることによるバンドの脱落のおそれを十分に防止することができない。
【０００５】
本発明は以上のような事情に鑑みてなされたものであり、ケースやバンドに衝撃や振動が加わった際に、バネ棒に伝わる衝撃や振動を減衰させてバネ棒の破損やバンドの脱落を防止し、耐衝撃性・耐震動性を向上させることのできるバンドの取付構造及び時計を提供することを目的とするものである。
【課題を解決するための手段】
【０００６】
前記課題を解決するために、本発明に係るバンドの取付構造は、
ケースにバンドを取り付けるバンドの取付構造であって、
前記ケースの側部に設けられ、対向する２つの脚部を有し、この脚部の対向する面にバンド取付孔が穿設されたバンド取付部と、
前記バンドにおける前記ケースへの取り付け側端部に設けられ、前記バンドの幅方向に延在する第１の貫通孔が形成された第１の嵌合部を有し、前記バンド取付部に取り付けられる連結駒体と、
前記第１の嵌合部と嵌合可能であり、嵌合状態において前記第１の貫通孔と連通する第２の貫通孔が形成された第２の嵌合部を有し、前記連結駒体を前記バンド取付部の所定の位置に保持する緩衝部材と、
前記第１の貫通孔及び前記第２の貫通孔に挿通され、前記バンドの前記ケースへの取り付け状態において、両端部がそれぞれ前記バンド取付部の前記バンド取付孔に挿入されるバネ棒と、
を備え、
前記第２の貫通孔の内径は、前記バネ棒の外径と同等であり、前記第１の貫通孔の内径は、前記バネ棒の外径よりも大きく、前記バネ棒は、前記連結駒体に対して遊びをもって配置され、
前記第１の嵌合部及び前記第２の嵌合部のいずれか一方はバンドの延在方向に突出する凸部を有し、他方は当該凸部を受ける形状の凹部を有していることを特徴としている。
【発明の効果】
【０００８】
本発明によれば、ケースやバンドに衝撃や振動が加わった際に、バネ棒に伝わる衝撃や振動を減衰させてバネ棒の破損やバンドの脱落を防止し、耐衝撃性・耐震動性を向上させることができるという効果を奏する。
【図面の簡単な説明】
【０００９】
【図１】第１の実施形態におけるバンドの取付構造が適用された時計の正面図である。
【図２】第１の実施形態の時計ケースとバンドの取り付け部分を拡大した要部斜視図であり、（ａ）は、時計の表面側から見た状態、（ｂ）は、時計の裏面側から見た状態を示している。
【図３】（ａ）は、連結駒体の斜視図であり、（ｂ）は、緩衝部材の斜視図である。
【図４】第１の実施形態において連結駒体と緩衝部材とを一体化させる構成を示した分解斜視図である。
【図５】（ａ）及び（ｂ）は、一体化させた連結駒体及び緩衝部材を時計ケースのバンド取付部に取り付ける様子を説明する要部側面図である。
【図６】第２の実施形態におけるバンドの取付構造が適用された時計の正面図である。
【図７】第２の実施形態の時計ケースとバンドの取り付け部分を拡大した要部斜視図であり、（ａ）は、時計の表面側から見た状態、（ｂ）は、時計の裏面側から見た状態を示している。
【図８】（ａ）は、連結駒体の斜視図であり、（ｂ）は、緩衝部材の斜視図である。
【図９】（ａ）は、第２の実施形態の連結駒体及び緩衝部材を示す斜視図であり、（ｂ）は、第２の実施形態の連結駒体及び緩衝部材を示す側面図である。
【図１０】（ａ）及び（ｂ）は、連結駒体及び緩衝部材を時計ケースのバンド取付部に取り付ける様子を説明する要部側面図である。
【発明を実施するための形態】
【００１０】
［第１の実施形態］
図１から図５を参照しつつ、本発明に係るバンドの取付構造及び時計の第１の実施形態について説明する。
なお、以下に述べる実施形態には、本発明を実施するために技術的に好ましい種々の限定が付されているが、本発明の範囲を以下の実施形態及び図示例に限定するものではない。
【００１１】
図１は、本実施形態におけるバンドの取付構造が適用された時計の正面図である。
図１に示すように、時計１００は、時計ケース１０を備える時計本体１とこの時計ケース１０に取り付けられるバンド２とを備えている。
後述するように、バンド２は、バンド取付部１５と、連結駒体２０と、緩衝部材３と、バネ棒４と、を備えるバンド取付構造により、時計ケース１０に取り付けられている。
【００１２】
時計本体１は、時計ケース１０と、指針や液晶パネル等を備える図示しない表示部と、時計ケース１０内に収容され指針等を動作させる時計モジュール（図示せず）等を備えている。また、本実施形態の時計本体１は、透明なガラス等で形成され、表示部の上部を覆う風防部材１１を備えている。
なお、表示部の構成は特に限定されず、指針のみで構成されるアナログ方式でもよいし、液晶パネルで構成されるデジタル方式でもよい。また、指針と液晶パネルの両方を備えるものであってもよい。
また、時計本体１の側面には、各種操作を行うための操作ボタン１２が設けられている。
【００１３】
本実施形態の時計ケース１０は、例えばステンレスやチタン等の金属材料で形成されている。
時計ケース１０の上下（図１において上下、時計の６時側と１２時側）方向の側部には、それぞれバンド２が取り付けられるバンド取付部１５が設けられている。
【００１４】
図２（ａ）及び図２（ｂ）は、本実施形態の時計ケース１０とバンド２の取り付け部分を拡大した要部斜視図であり、図２（ａ）は時計１００の表面側から見た状態、図２（ｂ）は時計１００の裏面側から見た状態を示している。
また、図３（ａ）は、連結駒体の斜視図であり、図３（ｂ）は、緩衝部材の斜視図である。
【００１５】
図１等に示すように、バンド取付部１５は、対向する２つの脚部１５１を有している。この脚部１５１の対向する面には、図２（ｂ）に示すように、それぞれバンド取付孔１５２が穿設されている。
バンド取付孔１５２は、後述するバネ棒４の先端部４１が嵌め込まれ係止される凹部である。後述するように、本実施形態では、バネ棒４の先端部４１は錐状に形成されている。バンド取付孔１５２は、このバネ棒４の先端部４１の形状に対応して中央部に行くほど深くなっており、バネ棒４の先端部４１を孔の中央部に安定して保持できるようになっている。
【００１６】
本実施形態において時計ケース１０に取り付けられるバンド２は、例えばステンレスやチタン等の金属材料で形成された複数の駒体（すなわち、バンド駒、バンドピース）を鎖状に連結することで構成されている。
バンド２における時計ケース１０への取り付け側端部には、バンド取付部１５に取り付けられる連結駒体２０が設けられている。
【００１７】
図２（ａ）、図２（ｂ）及び図３（ａ）に示すように、連結駒体２０は、一対の脚部２１の間に凹部２２が形成された第１の嵌合部２３と、時計ケース１０への取り付け側とは反対側に張り出した突出部２４と、を有している。
第１の嵌合部２３の凹部２２は、後述する緩衝部材３の凸部３２を受ける形状となっている。
【００１８】
第１の嵌合部２３（本実施形態では、第１の嵌合部２３を構成する一対の脚部２１）には、バンド２の幅方向（図１において横方向）に延在する第１の貫通孔２５が形成されている。
第１の貫通孔２５は、バネ棒４が挿通されるものである。本実施形態において、第１の貫通孔２５の内径は、バネ棒４の外径よりも大きく形成されており、バネ棒４は、連結駒体２０に対して遊びをもって配置されるようになっている。
また、本実施形態では、連結駒体２０を時計ケース１０のバンド取付部１５に嵌め込んだ状態において、第１の貫通孔２５の中心が、時計ケース１０側のバンド取付孔１５２の中心とほぼ一致するようになっている。
【００１９】
また、第１の嵌合部２３（本実施形態では、第１の嵌合部２３を構成する一対の脚部２１）には、第１の貫通孔２５と同様に、バンド２の幅方向（図１において横方向）に延在する第１の軸孔２６が形成されている。
連結駒体２０と緩衝部材３とを嵌合させた嵌合状態において、第１の軸孔２６は、後述する第２の嵌合部３０に形成されている第２の軸孔３４と連通して一繋がりの軸孔を構成する。この軸孔に結合用軸部材５１（図４等参照）を挿通させることにより連結駒体２０及び緩衝部材３が一体化されるようになっている。
本実施形態では、この一繋がりとなった軸孔は、結合用軸部材５１の外径とほぼ等しい内径を有する小径部２６ａと、この小径部２６ａの何れか一端側に設けられ、小径部２６ａよりも大きな内径を有する大径部２６ｂとからなる。
図４に示すように、結合用軸部材５１は、軸孔の小径部２６ａから大径部２６ｂに向かって挿入され、大径部２６ｂ側からはＣリング５２（図４等参照）が挿入される。Ｃリング５２の径は、大径部２６ｂの内径よりも小さく、小径部２６ａの内径よりも大きくなっており、結合用軸部材５１の挿入側先端部に大径部２６ｂ側からＣリング５２が嵌め込まれることにより結合用軸部材５１が軸孔から抜け落ちないように固定される。
【００２０】
突出部２４には、バンド２の幅方向（図１において横方向）に延在する貫通孔２７が形成されている。
本実施形態では、この貫通孔２７に図示しない軸部材を挿通させて図示しない駒体等を連結駒体２０に連結することにより、バンド２が形成されている。
【００２１】
緩衝部材３は、弾性変形可能に構成され、時計ケース１０やバンド２に加わった衝撃を吸収するものである。
緩衝部材３は、例えばエラストマー（elastomer）等の弾性材料で形成されている。具体的には、緩衝部材３は、ウレタン樹脂、シリコーンゴム（silicone rubber）等で形成される。なお、緩衝部材３を形成する材料は、緩衝効果を有するものであればよく、ここに例示したものに限定されない。
【００２２】
図２（ａ）及び図３（ｂ）に示すように、緩衝部材３は、連結駒体２０の第１の嵌合部２３と嵌合可能に形成された第２の嵌合部３０と、この第２の嵌合部３０の両側部に張り出した一対の張出部３１と、を有している。
本実施形態において、第２の嵌合部３０及び張出部３１における時計ケース１０への取り付け側の面は、時計ケース１０の側面形状に沿う形状となっており、バンド２を時計ケース１０に取り付けた状態において、第２の嵌合部３０及び張出部３１の端面が時計ケース１０の側面に密着する。
緩衝部材３は、バンド２が取り付けられた状態において、連結駒体２０を時計ケース１０のバンド取付部１５の所定の位置に保持する。
【００２３】
本実施形態では、第２の嵌合部３０は、バンド２の延在方向（図１において上下方向）に突出する凸部３２を有している。凸部３２は、前述のように第１の嵌合部２３の凹部２２に受け入れられ、これと嵌り合う形状となっている。
【００２４】
第２の嵌合部３０（本実施形態では、第２の嵌合部３０を構成する凸部３２）には、バンド２の幅方向（図１において横方向）に延在する第２の貫通孔３３が形成されている。
第２の貫通孔３３は、連結駒体２０と緩衝部材３とを嵌合させた嵌合状態において、第１の貫通孔２５と連通するものであり、この連通状態において、第１の貫通孔２５及び第２の貫通孔３３にバネ棒４が挿通される。なお、本実施形態の第２の貫通孔３３は、その中心が第１の貫通孔２５の中心よりもバンド取付方向の外側（すなわち、時計ケース１０と対向する側とは反対側）にずれた位置となるように配置されている。
本実施形態において、第２の貫通孔３３の内径は、バネ棒４の外径とほぼ同等であり、バネ棒４は、第２の貫通孔３３内にほぼ遊びのない状態で嵌め込まれるようになっている。
【００２５】
また、第２の嵌合部３０（本実施形態では、第２の嵌合部３０を構成する凸部３２）には、第２の貫通孔３３と同様に、バンド２の幅方向（図１において横方向）に延在する第２の軸孔３４が形成されている。
前述のように、連結駒体２０と緩衝部材３とを嵌合させた嵌合状態において、第２の軸孔３４は、第１の嵌合部２３に形成されている第１の軸孔２６と連通し、結合用軸部材５１（図４等参照）が挿入される一繋がりの軸孔を構成する。
【００２６】
バネ棒４は、第１の貫通孔２５及び第２の貫通孔３３に挿通される棒状の部材である。バネ棒４は、例えば筒状部材と、この筒状部材の両端部にバネ棒４の軸方向に沿って進退自在に設けられた一対のピンと、筒状部材の内部でピンを筒状部材の外側に付勢するバネ（いずれも図示せず）を備えている。
バネ棒４は、バンド側に形成されている第１の貫通孔２５及び第２の貫通孔３３に挿通させた状態で一方のピンをバンド取付部１５の一方のバンド取付孔１５２に挿入し、他方のピンをばね力に抗して筒状部材の内部に一旦押し込んだ状態で他方のバンド取付孔１５２に挿入することにより、バンド２を時計ケース１０に連結させるものである。
前述のように、バネ棒４の両側の先端部４１は錐状に形成されており、バンド取付孔１５２は、このバネ棒４の先端部４１の形状に対応して中央部に行くほど深くなっている。これにより、バネ棒４の先端部４１がバンド取付孔１５２に挿入されると、バネ棒４の先端部４１がバンド取付孔１５２の中央部に安定して保持される。
【００２７】
本実施形態では、２つの脚部の対向する面にバンド取付孔１５２が穿設された時計ケース１０側のバンド取付部１５と、バンド２の幅方向に延在する第１の貫通孔２５が形成された第１の嵌合部２３を有しバンド取付部１５に取り付けられる連結駒体２０と、第１の嵌合部２３と嵌合可能であり、嵌合状態において第１の貫通孔２５と連通する第２の貫通孔３３が形成された第２の嵌合部３０を有する緩衝部材３と、第１の貫通孔２５及び第２の貫通孔３３に挿通され、バンド２の時計ケース１０への取り付け状態において、両端部がそれぞれバンド取付部１５のバンド取付孔１５２に挿入されるバネ棒４と、によりバンドの取付構造が構成されている。
【００２８】
次に、図４、図５（ａ）及び図５（ｂ）を参照しつつ、本実施形態におけるバンドの取付構造及び時計の作用について説明する。
図４は、本実施形態において連結駒体２０と緩衝部材３とを一体化させる構成を示した分解斜視図である。
また、図５（ａ）及び図５（ｂ）は、一体化させた連結駒体２０及び緩衝部材３を時計ケース１０のバンド取付部１５に取り付ける様子を説明する要部側面図である。
【００２９】
時計ケース１０にバンド２を取り付けて時計１００を組み立てる際には、まず、図４に示すように、連結駒体２０の第１の嵌合部２３の凹部２２に緩衝部材３の第２の嵌合部３０の凸部３２を嵌め合わせる。このとき、第１の嵌合部２３に形成されている第１の軸孔２６と第２の嵌合部３０に形成されている第２の軸孔３４とが一繋がりの軸孔となるように連結駒体２０と緩衝部材３との位置を合わせる。
そして、第１の軸孔２６と第２の軸孔３４とが一繋がりの軸孔となった状態において、小径部２６ａとして形成されている側から他方側に向かって結合用軸部材５１を挿入し、大径部２６ｂとして形成されている側からＣリング５２を挿入して、Ｃリング５２を結合用軸部材５１の挿入側先端部に嵌め込む。これにより、連結駒体２０と緩衝部材３とが一体化される。
【００３０】
さらに、第１の嵌合部２３に形成されている第１の貫通孔２５と第２の嵌合部３０に形成されている第２の貫通孔３３内にバネ棒４を挿通させる。
前述のように第２の貫通孔３３の内径はバネ棒４の外径とほぼ同等であるため、バネ棒４は第２の貫通孔３３内に密着した状態で配置される。これに対して、第１の貫通孔２５の内径はバネ棒４の外径よりも大きく形成されているため、バネ棒４は連結駒体２０の第１の貫通孔２５に対しては遊びを持った状態で配置される。
本実施形態では、バネ棒４をバンド取付部１５に取り付ける前においては、図５（ａ）に示すように、バネ棒４及びバネ棒４が挿入された第２の貫通孔３３は、その中心が第１の貫通孔２５の中心よりもバンド取付方向の外側（すなわち、時計ケース１０と対向する側とは反対側）にずれた位置となっている。
【００３１】
次に、一体化された連結駒体２０及び緩衝部材３を時計ケース１０のバンド取付部１５の２つの脚部１５１の間に配置する。このとき、図５（ａ）に示すように、緩衝部材３の第２の嵌合部３０及び張出部３１の端面が時計ケース１０の側面に対向するように配置する。
そして、第１の貫通孔２５及び第２の貫通孔３３に挿通されたバネ棒４の一方側の先端部４１をバンド取付部１５の一方側の脚部１５１に形成されているバンド取付孔１５２に挿入する。
さらに、バネ棒４の他方側の先端部４１を押し込みながらバンド取付部１５の他方側の脚部１５１に形成されているバンド取付孔１５２に挿入する。このとき、連結駒体２０及び緩衝部材３を時計ケース１０の側（図５（ａ）に矢印で示す方向）に押し付けるようにしながら嵌め込むことにより、緩衝部材３が押し縮められる。そして、バネ棒４の他方側の先端部４１がバンド取付部１５の他方側のバンド取付孔１５２に挿入された際には、図５（ｂ）に示すように、バネ棒４及びバネ棒４が挿入された第２の貫通孔３３の中心が第１の貫通孔２５の中心とほぼ一致する位置まで移動する。
バネ棒４は、バネ力によってバンド２の幅方向に押し拡がり、これによってバネ棒４の両側の先端部４１がそれぞれバンド取付部１５内に係止され、時計ケース１０へのバンド２の取り付けが完了する。
【００３２】
上述のように、バンド取付状態において、バネ棒４の軸中心が第１の貫通孔２５の中心とほぼ一致するため、バネ棒４と第１の貫通孔２５との間には、バネ棒４の外周に対してほぼ均一に遊びが設けられている状態となる（図５（ｂ）参照）。
また、図５（ｂ）等に示すように、緩衝部材３における時計ケース１０に対向する面は、連結駒体２０における時計ケース１０に対向する面よりも時計ケース１０側に突出している。このため、緩衝部材３が大きく押し潰されるような強い力が加わらない限り連結駒体２０が時計ケース１０と接触しないようになっている。
【００３３】
以上のように、本実施形態によれば、第１の貫通孔２５が形成された連結駒体２０の第１の嵌合部２３に、第２の貫通孔３３が形成された緩衝部材３の第２の嵌合部３０を嵌合させ、第１の貫通孔２５及び第２の貫通孔３３にバネ棒４を挿通させて、時計ケース１０側のバンド取付部１５の２つの脚部１５１の間に配置し、脚部１５１の対向する面に穿設されたバンド取付孔１５２にバネ棒４の先端部４１を係止させることでバンド２を時計ケース１０に取り付けている。そして、第２の貫通孔３３の内径は、バネ棒４の外径と同等であるのに対して、第１の貫通孔２５の内径は、バネ棒４の外径よりも大きく形成されており、バネ棒４は、連結駒体２０に対して遊びをもって配置されている。
これにより、時計ケース１０やバンド２に何ら衝撃等が加えられていない状態や衝撃等が加えられても、それが緩衝部材３の弾性変形の範囲内で吸収可能な程度である場合には、バネ棒４は連結駒体２０に接触せず、バンド２に加えられた衝撃等が直接バネ棒４に伝わらない。また、時計ケース１０に加えられた衝撃等も時計ケース１０に接触している緩衝部材３によって吸収される。このため、時計ケース１０やバンド２に衝撃等が加わった際に、バネ棒４に伝わる衝撃等を減衰させてバネ棒４の破損やバンド２の脱落を防止し、時計１００の耐衝撃性・耐震動性を向上させることができる。
また、このように、バネ棒４は連結駒体２０に対して遊びをもって配置されているが、連結駒体２０の第１の貫通孔２５内に挿通されているため、時計ケース１０やバンド２に緩衝部材３では吸収しきれないような大きな衝撃等が加わった際には、バネ棒４が連結駒体２０の第１の貫通孔２５に突き当たって係止される。これにより、バンド２が脱落することを確実に防ぐことができる。
また、第２の嵌合部３０はバンド２の延在方向に突出する凸部３２を有し、第１の嵌合部２３は当該凸部３２を受ける形状の凹部２２を有している。これにより、凸部３２と凹部２２とを嵌め合わせるだけで容易に位置決めすることができ、部品の組み付けが容易である。
さらに、第１の嵌合部２３及び第２の嵌合部３０には、嵌合状態において連通する軸孔２６，３４が形成されており、連結駒体２０と緩衝部材３とは、当該軸孔２６，３４に結合用軸部材５１を挿通させることにより一体化されている。このように連結駒体２０と緩衝部材３とを一体化させることにより、バンド２の時計ケース１０への組み付けが容易となる。
また、連結駒体２０と緩衝部材３とを、バンド２を時計ケース１０に取り付けるためのバネ棒４ではなく、これとは別部材の結合用軸部材５１を用いて一体化させ、バネ棒４を連結駒体２０に対して遊びを持った状態に保っている。このため、バンド２に対して加えられた衝撃等が連結駒体２０を介してバネ棒４に伝わるのを防ぐことができる。
また、緩衝部材３の弾性変形分だけ衝撃を吸収することができ、緩衝部材３による緩衝が可能な幅を十分に確保することができる。
また、緩衝部材３における時計ケース１０に対向する面が連結駒体２０における時計ケース１０に対向する面よりも時計ケース１０側に突出しているため、時計ケース１０に加えられた衝撃等が直接的にバンド２側に伝わるのを防ぐことができる。特に時計ケース１０及びバンド２（バンド２を構成する連結駒体２０）がともに金属材料で形成されている場合には、金属同士が直接ぶつかり合ったり擦れ合うことを防ぐことができ、時計ケース１０やバンド２が傷ついたり破損したりするのを防止することができる。
また、本実施形態では、バンド２を時計ケース１０に取り付ける際、緩衝部材３を押し縮めながらバネ棒４を嵌め込んでいる。このため、バンド２を時計ケース１０から取り外す際には、バネ棒４の一方の先端部４１をバンド取付孔１５２から外せば緩衝部材３が元の形状に戻ろうとする復元力によってバンド２が時計ケース１０から外れる方向に押し出される。これにより比較的容易にバンドを取り外すことが可能である。
また、連結駒体２０を含むバンド２や時計ケース１０が金属材料で形成されている場合に、ウレタン樹脂やシリコーンゴム等、金属とは異なる質感を有する材料で形成された緩衝部材３を配置することにより、金属材料のみで構成された時計とは異なるカジュアルな外観、デザインを演出することができる。
【００３４】
なお、本実施形態では、緩衝部材３の第２の嵌合部３０が凸部３２を有し、連結駒体２０の第１の嵌合部２３がこの凸部３２を受ける形状の凹部２２を有している場合を例示したが、第１の嵌合部２３及び第２の嵌合部３０の形状はこれに限定されない。
第１の嵌合部２３及び第２の嵌合部３０はいずれか一方が凸部を有し、他方が当該凸部３２を受ける形状の凹部を有していればよく、連結駒体２０の第１の嵌合部２３が凸部を有し、緩衝部材３の第２の嵌合部３０がこの凸部を受ける形状の凹部を有していてもよい。
【００３５】
また、本実施形態では、連結駒体２０と緩衝部材３とを結合用軸部材５１とＣリング５２とを用いて一体化させる場合を例示したが、連結駒体２０と緩衝部材３とを一体化させる構成はこれに限定されない。
【００３６】
［第２の実施形態］
次に、図６から図１０（ａ）、図１０（ｂ）を参照しつつ、本発明に係るバンドの取付構造及び時計の第２の実施形態について説明する。なお、本実施形態は、連結駒体及び緩衝部材の構成が第１の実施形態と異なるものであるため、以下においては、特に第１の実施形態と異なる点について説明する。
【００３７】
図６は、本実施形態におけるバンドの取付構造が適用された時計の正面図である。
図６に示すように、本実施形態の時計２００は、第１の実施形態と同様に、時計ケース１０を備える時計本体１とこの時計ケース１０に取り付けられるバンド２とを備えている。
後述するように、バンド２は、バンド取付部１５と、連結駒体７と、緩衝部材８と、バネ棒４と、を備えるバンド取付構造により、時計ケース１０に取り付けられている。
【００３８】
図７（ａ）及び図７（ｂ）は、本実施形態の時計ケース１０とバンド２の取り付け部分を拡大した要部斜視図であり、図７（ａ）は時計２００の表面側から見た状態、図７（ｂ）は時計２００の裏面側から見た状態を示している。
また、図８（ａ）は、連結駒体の斜視図であり、図８（ｂ）は、緩衝部材の斜視図である。
【００３９】
図７（ａ）、図７（ｂ）及び図８（ａ）に示すように、連結駒体７は、バンド２の幅方向に延在しバンド取付状態において時計ケース１０のバンド取付部１５の外側面に接するように配置される連結部７１と、この連結部７１から時計ケース１０への取り付け側とは反対側に張り出した第１の嵌合部７２と、を有している。
本実施形態において、連結部７１における時計ケース１０への取り付け側の面は、バンド取付部１５の外側面に沿う形状となっており、バンド２を時計ケース１０に取り付けた状態において、連結部７１の端面が時計ケース１０の側面に密着する。
本実施形態では、連結部７１は、側面視ほぼＬ字状となっており、時計ケース１０の側面及び底面の一部に当接する当接面７１ａを有している。なお、連結部７１、当接面７１ａの形状等はここに例示したものに限定されない。
【００４０】
また、連結駒体７の連結部７１における時計ケース１０に当接する側とは反対側の面及び連結部７１の下面は、一端において互いに交わる２つの突き当て面７１ｂとなっている。
突き当て面７１ｂは、緩衝部材８が突き当てられる面であり、本実施形態では、２つの突き当て面７１ｂがほぼ直角に交わっている（図９（ｂ）等参照）。なお、突き当て面７１ｂの形状や交わる角度等はここに例示したものに限定されない。
【００４１】
本実施形態において、第１の嵌合部７２は、バンド２の延在方向（図６において上下方向）に突出する凸部７３を有している。凸部７３は、後述するように緩衝部材８の第２の嵌合部８３に受け入れられ、これと嵌り合う形状となっている。
【００４２】
第１の嵌合部７２（本実施形態では、第１の嵌合部７２を構成する凸部７３）には、バンド２の幅方向（図６において横方向）に延在する第１の貫通孔７４が形成されている。
第１の貫通孔７４は、バネ棒４が挿通されるものである。本実施形態において、第１の貫通孔７４の内径は、バネ棒４の外径よりも大きく形成されており、バネ棒４は、連結駒体７に対して遊びをもって配置されるようになっている。
また、本実施形態では、連結駒体７を時計ケース１０のバンド取付部１５に嵌め込んだ状態において、第１の貫通孔７４の中心が、時計ケース１０側のバンド取付孔１５２の中心とほぼ一致するようになっている（図１０（ａ）及び図１０（ｂ）参照）。
【００４３】
また、第１の嵌合部７２（本実施形態では、第１の嵌合部７２を構成する凸部７３）には、バンド２の幅方向（図１において横方向）に延在する貫通孔７５が形成されている。
本実施形態では、この貫通孔７５に図示しない軸部材を挿通させて図示しない駒体等を連結駒体７に連結することにより、バンド２が形成されている。
【００４４】
図７（ａ）、図７（ｂ）及び図８（ｂ）に示すように、本実施形態の緩衝部材８は、バンド２の幅方向に延在する板状のベース部８１と、このベース部８１の両端部に立設された一対の脚部８２とを有している。
２つの脚部８２の間隔は、連結駒体７の第１の嵌合部７２の幅よりも僅かに大きく、連結駒体７の第１の嵌合部７２は、バンド取付状態において２つの脚部８２の間に嵌め込まれるようになっており、２つの脚部８２は、第１の嵌合部７２を受け入れる第２の嵌合部８３を構成している。
【００４５】
第２の嵌合部８３（本実施形態では、第２の嵌合部８３を構成する一対の脚部８２）には、バンド２の幅方向（図６において横方向）に延在する第２の貫通孔８４が形成されている。
第２の貫通孔８４は、バネ棒４が挿通されるものである。本実施形態において、第２の貫通孔８４の内径は、バネ棒４の外径とほぼ同等であり、バネ棒４は、第２の貫通孔８４内にほぼ遊びのない状態で嵌め込まれるようになっている。
【００４６】
また、本実施形態において、ベース部８１の上面及び脚部８２における時計ケース１０への取り付け側の面は、連結駒体７の連結部７１の２つの突き当て面７１ｂに突き当てられる対応面８５となっている。
本実施形態では、連結部７１の突き当て面７１ｂに対応して、対応面８５であるベース部８１の上面及び脚部８２における時計ケース１０への取り付け側の面は、互いにほぼ直角に交わっている（図９（ｂ）等参照）。
図９（ａ）は、連結駒体７と緩衝部材８とを嵌め合わせてバネ棒４を第１の貫通孔７４及び第２の貫通孔８４に挿通させた状態を示した斜視図であり、図９（ｂ）は、図９（ａ）に示す連結駒体７及び緩衝部材８の側面図である。なお、図９（ｂ）では第１の貫通孔７４及び第２の貫通孔８４に挿通されているバネ棒４の図示を省略している。
図９（ａ）及び図９（ｂ）に示すように、本実施形態では、連結駒体７側の突き当て面７１ｂに緩衝部材８側の対応面８５を突き当てた状態で、バネ棒４を第１の貫通孔７４及び第２の貫通孔８４に挿通させる。
本実施形態では、バネ棒４をバンド取付部１５に取り付ける前においては、バネ棒４及びバネ棒４が挿入された第２の貫通孔８４は、その中心が第１の貫通孔７４の中心よりもバンド取付方向の外側（すなわち、時計ケース１０と対向する側とは反対側）にずれた位置となっている。
そして、この状態でバネ棒４の両方の先端部４１をそれぞれバンド取付部１５１のバンド取付孔１５２に挿入する。このとき、対応面８５を突き当て面７１ｂに押し付ける方向に緩衝部材８を押し縮めながらバネ棒４を嵌め込む。これにより、連結駒体７と緩衝部材８とが一体化されるとともに、バンド２が時計ケース１０に取り付けられる。
【００４７】
なお、その他の構成は、第１の実施形態と同様であることから、同一部材には同一の符号を付して、その説明を省略する。
【００４８】
次に、図１０（ａ）及び図１０（ｂ）を参照しつつ、本実施形態におけるバンドの取付構造及び時計の作用について説明する。
図１０（ａ）及び図１０（ｂ）は、一体化させた連結駒体７及び緩衝部材８を時計ケース１０のバンド取付部１５に取り付ける様子を説明する要部側面図である。
【００４９】
時計ケース１０にバンド２を取り付けて時計２００を組み立てる際には、まず、連結駒体７の第１の嵌合部７２の凸部７３を緩衝部材８の第２の嵌合部８３の２つの脚部８２の間に嵌め合わせる。
そして、第１の嵌合部７２に形成されている第１の貫通孔７４と第２の嵌合部８３に形成されている第２の貫通孔８４内にバネ棒４を挿通させる。
前述のように第２の貫通孔８４の内径はバネ棒４の外径とほぼ同等であるため、バネ棒４は第２の貫通孔８４内に密着した状態で配置される。これに対して、第１の貫通孔７４の内径はバネ棒４の外径よりも大きく形成されているため、バネ棒４は第１の貫通孔７４に対しては遊びを持った状態で配置される。
本実施形態では、バネ棒４をバンド取付部１５に取り付ける前においては、図１０（ａ）に示すように、バネ棒４及びバネ棒４が挿入された第２の貫通孔８４は、その中心が第１の貫通孔７４の中心よりもバンド取付方向の外側（すなわち、時計ケース１０と対向する側とは反対側）にずれた位置となっている。
【００５０】
次に、連結駒体７及び緩衝部材８を時計ケース１０のバンド取付部１５の２つの脚部１５１の間に配置する。このとき、図１０（ａ）に示すように、連結駒体７の当接面７１ａが時計ケース１０の側面及び下面に対向するように配置する。
そして、第１の貫通孔７４及び第２の貫通孔８４に挿通されたバネ棒４の一方側の先端部４１をバンド取付部１５の一方側の脚部１５１に形成されているバンド取付孔１５２に挿入する。
さらに、バネ棒４の他方側の先端部４１を押し込みながらバンド取付部１５の他方側の脚部１５１に形成されているバンド取付孔１５２に挿入する。このとき、連結駒体７及び緩衝部材８を時計ケース１０の側（図１０（ａ）に矢印で示す斜め上方向）に押し付けるようにしながら嵌め込むことにより、緩衝部材３が押し縮められる。そして、バネ棒４の他方側の先端部４１がバンド取付部１５の他方側のバンド取付孔１５２に挿入された際には、緩衝部材８の対応面８５が連結駒体７の突き当て面７１ｂに対して強く押し付けられて連結駒体７と緩衝部材８とががたつきのない状態で密着し一体化される。また、図１０（ｂ）に示すように、バネ棒４及びバネ棒４が挿入された第２の貫通孔８４の中心が第１の貫通孔７４の中心とほぼ一致する位置まで移動する。
バネ棒４は、バネ力によってバンド２の幅方向に押し拡がり、これによってバネ棒４の両側の先端部４１がそれぞれバンド取付部１５内に係止され、時計ケース１０へのバンド２の取り付けが完了する。
【００５１】
上述のように、バンド取付状態において、バネ棒４の軸中心が第１の貫通孔７４の中心とほぼ一致するため、バネ棒４と第１の貫通孔７４との間には、バネ棒４の外周に対してほぼ均一に遊びが設けられている状態となる（図１０（ｂ）参照）。
【００５２】
なお、その他の点については、第１の実施形態と同様であることから、その説明を省略する。
【００５３】
以上のように、本実施形態によれば、第１の実施形態と同様の効果を得られる他、以下の効果を得ることができる。
すなわち、本実施形態では、連結駒体７と緩衝部材８とを一体化させるためにピン等の別部材を用いる必要がない。このため、部品点数を少なくすることができるとともに、組み立て工数を減らすことができ、製造コストを抑えることができる。
また、連結駒体７が一端において互いに交わる２つの突き当て面７１ｂを有し、緩衝部材８が当該２つの突き当て面に対応する対応面８５を有しており、突き当て面７１ｂに対応面８５を突き当て、圧接させた状態で、連結駒体７及び緩衝部材８を一体化させて時計ケース１０に固定するようになっている。このため、連結駒体７と緩衝部材８とが、２つの面で密着し、がたつきのない状態で時計ケース１０に確実に固定される。
【００５４】
なお、以上本発明の実施形態について説明したが、本発明は、かかる実施形態に限定されず、その要旨を逸脱しない範囲で、種々変形が可能であることは言うまでもない。
【００５５】
例えば、本実施形態では、時計ケース１０が金属材料で形成されている場合を例示したが、時計ケース１０を形成する材料はここに例示したものに限定されない。例えばポリアリレート樹脂やＡＢＳ樹脂等で形成されていてもよい。
【００５６】
また、本実施形態では、バンド２が金属材料で形成された複数の駒体を連結して構成されている場合を例示したが、バンド２の材料・構成はここに例示したものに限定されない。
例えば、バンドは、金属材料や樹脂等、各種材料からなる複数の部材（駒体）を連結することで構成されていてもよい。
また、バンド２は、例えばＰＯＭ（すなわち、ポリアセタール（polyacetal）又はポリオキシメチレン（polyoxymethylene））や、ＡＢＳ樹脂、ポリアリレート樹脂、ポリカーボネート等の硬質プラスチック、革等で形成された帯状の部材が連結駒体２０に連結されたものでもよい。
【００５７】
また、本実施形態では、バンド２とバンド取付部１５とを連結するための連結部材として、バネ棒４を用いた場合について述べたが、必ずしもバネ棒４である必要はなく、圧縮変形可能な単なる棒であってもよい。
また、本実施形態では、時計１００として腕時計を例示したが、腕時計でなく、懐中時計や、キーホルダ等で鞄等に着脱可能に構成された時計等でもよい。
【００５８】
また、上記各実施形態では、バンドの取付構造が時計に適用された場合を例示したが、バンドの取付構造は時計に適用される場合に限定されない。
例えば、歩数計や心拍数計、高度計、気圧計等のケースにバンドを取り付ける場合に、本発明のバンドの取付構造を適用してもよい。
【００５９】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ケースにバンドを取り付けるバンドの取付構造であって、
前記ケースの側部に設けられ、対向する２つの脚部を有し、この脚部の対向する面にバンド取付孔が穿設されたバンド取付部と、
前記バンドにおける前記ケースへの取り付け側端部に設けられ、前記バンドの幅方向に延在する第１の貫通孔が形成された第１の嵌合部を有し、前記バンド取付部に取り付けられる連結駒体と、
前記第１の嵌合部と嵌合可能であり、嵌合状態において前記第１の貫通孔と連通する第２の貫通孔が形成された第２の嵌合部を有し、前記連結駒体を前記バンド取付部の所定の位置に保持する緩衝部材と、
前記第１の貫通孔及び前記第２の貫通孔に挿通され、前記バンドの前記ケースへの取り付け状態において、両端部がそれぞれ前記バンド取付部の前記バンド取付孔に挿入されるバネ棒と、
を備え、
前記第２の貫通孔の内径は、前記バネ棒の外径と同等であり、前記第１の貫通孔の内径は、前記バネ棒の外径よりも大きく、前記バネ棒は、前記連結駒体に対して遊びをもって配置されていることを特徴とするバンドの取付構造。
＜請求項２＞
前記第１の嵌合部及び前記第２の嵌合部のいずれか一方はバンドの延在方向に突出する凸部を有し、他方は当該凸部を受ける形状の凹部を有していることを特徴とする請求項１に記載のバンドの取付構造。
＜請求項３＞
前記第１の嵌合部及び前記第２の嵌合部には、嵌合状態において連通する軸孔が形成されており、前記連結駒体と前記緩衝部材とは、当該軸孔に結合用軸部材を挿通させることにより一体化されていることを特徴とする請求項１及び請求項２に記載のバンドの取付構造。
＜請求項４＞
前記連結駒体は、一端において互いに交わる２つの突き当て面を有し、前記緩衝部材には、当該２つの突き当て面に対応する対応面が設けられており、
前記突き当て面に前記対応面を突き当てた状態で、前記バネ棒を前記第１の貫通孔及び前記第２の貫通孔に挿通させ、前記バネ棒の両端部をそれぞれ前記バンド取付部の前記バンド取付孔に挿入することにより、前記連結駒体と前記緩衝部材とが一体化されるとともに、前記バンドが前記ケースに取り付けられることを特徴とする請求項１及び請求項２に記載のバンドの取付構造。
＜請求項５＞
請求項１から請求項４のいずれか一項に記載のバンドの取付構造と、
ケースと、
前記ケースに取り付けられるバンドと、
を備えることを特徴とする時計。
【符号の説明】
【００６０】
２      バンド
３      緩衝部材
４      バネ棒
７      連結駒体
８      緩衝部材
１０    時計ケース
１５    バンド取付部
２０    連結駒体
２１    脚部
２２    凹部
２３    嵌合部
２５    第１の貫通孔
３０    嵌合部
３２    凸部
３３    第２の貫通孔
５１    結合用軸部材
５２    Ｃリング
７１ｂ  突き当て面
８５    対応面
１００  時計
１５２  バンド取付孔
【図１】
0006020494.tif 000002
【図２】
0006020494.tif 000003
【図３】
0006020494.tif 000004
【図４】
0006020494.tif 000005
【図５】
0006020494.tif 000006
【図６】
0006020494.tif 000007
【図７】
0006020494.tif 000008
【図８】
0006020494.tif 000009
【図９】
0006020494.tif 000010
【図１０】
0006020494.tif 000011